(57)【要約】  本発明は、少なくとも２つのコネクタ部（２、４）間の流体連結を生成し、連結解除するためのタップ（１）に関する。本発明のタップは、１つの連結および連結解除要素（６）と、連結および連結解除要素（６）を回転させるための手動作動要素（１０）であって、手動作動要素（１０）および連結および連結解除要素（６）は、機械的に結合される、手動作動要素と、主要本体（１２）であって、少なくとも１つのコネクタ部（２）と、連結および連結解除要素（６）を受け入れるための内部空間（１４）とを備え、内部空間（１４）は、連結および連結解除要素（６）に接触させるための接触表面（１６）を備え、接触表面（１６）は、連結および連結解除要素（６）の円錐状表面構成要素（２８）に関して少なくとも断面においてネガティブ形状のものである、主要本体とを備え、少なくとも１つのばね要素（３４）が、主要本体に関して連結および連結解除要素（６）の位置をぴったりと合わせて固定するために設けられ、好ましくは、ばね要素（３４）は、追加的に、表面圧力を生成するためにかつ／または接触表面（１６）と連結および連結解除要素（６）の円錐状表面構成要素（２８）との間の接触面を固定するために設けられ、ばね要素（３４）は、主要本体（１２）内または主要本体（１２）上に配置され、解体または組み立てのための連結および連結解除要素（６）は、その軸方向の延長方向にばね要素（３４）に対して移動可能とすることができる。【選択図】図２
2019529824.tif 000002
【特許請求の範囲】
【請求項１】
少なくとも２つのコネクタ部（２、４）間の流体連結を生成し、連結解除するためのタップ（１）であって
前記流体連結を生成し、前記流体連結を連結解除するための１つの連結および連結解除要素（６）であって、少なくとも断面において円錐状であり、前記流体連結を生成するための少なくとも１つの通過開口部（８）を備える、１つの連結および連結解除要素と、
前記連結および連結解除要素（６）を回転させるための手動作動要素（１０）であって、前記手動作動要素（１０）ならびに前記連結および連結解除要素（６）は、機械的に結合される、手動作動要素と、
主要本体（１２）であって、少なくとも１つのコネクタ部（２）と、前記連結および連結解除要素（６）を受け入れるための内部空間（１４）とを備えた、主要本体（１２）と、
を少なくとも備え、
前記内部空間（１４）は、前記連結および連結解除要素（６）と接触させるための接触表面（１６）を含み、
前記接触表面（１６）は、前記連結および連結解除要素（６）の円錐状表面構成要素（２８）に関して少なくとも断面においてネガティブ形状のものであり、、
少なくとも１つのばね要素（３４）が、前記連結および連結解除要素（６）の位置を前記主要本体（１２）に関してぴったりと合わせて固定するために設けられ、前記ばね要素（３４）は、前記主要本体（１２）内または前記主要本体（１２）上に配置されることを特徴とする、タップ。
【請求項２】
前記ばね要素（３４）が、追加的に、表面圧力を生成するために、かつ／または前記接触表面（１６）と前記連結および連結解除要素（６）の前記円錐状表面構成要素（２８）との間の接触面を固定するために設けられることを特徴とする、請求項１に記載のタップ。
【請求項３】
解体または組み立てのための前記連結および連結解除要素（６）が、その軸方向延長方向（Ａ）に前記ばね要素（３４）に対して移動可能とすることができることを特徴とする、請求項１または請求項２に記載のタップ。
【請求項４】
前記連結および連結解除要素（６）が、その軸方向延長方向に、最小直径を有する円錐状セクション（２２）に隣接する延長部（２４）を備え、
前記延長部（２４）が、壁（４０）、好ましくは前記軸方向延長方向に向かって傾けられた壁を備え、前記少なくとも１つのばね要素（３４）または前記ばね要素（３４）によって作用される少なくとも１つの固定材（４２）が、前記連結および連結解除要素（６）内に引張力を生成するために前記壁（４０）と接触することを特徴とする、請求項１から３のいずれか一項に記載のタップ。
【請求項５】
前記ばね要素（３４）が、少なくとも２つの細長い構成要素（５０、５２）を備え、前記２つの細長い構成要素（５０、５２）は、曲がり構成要素（５４）によって互いに連結され、
前記２つの細長い構成要素（５０、５２）は、２つの細長い位置決め構成要素（５６、５８）として設計され、前記連結および連結解除要素（６）内に引張力を生成するために前記壁（４０）と接触することを特徴とする、請求項４に記載のタップ。
【請求項６】
前記ばね要素（３４）が、追加的に、少なくとも２つの細長い保持構成要素（６０、６２）を備え、
前記細長い保持構成要素（６０、６２）が、前記ばね要素（３４）の端部（７６、７８）を形成し、前記主要本体（１２）にぴったりと合わさるか、または摩擦によってロックする形で結合され、
各位置決め構成要素（５６、５８）が、曲がり構成要素（６４、６６）を介して保持構成要素（６０、６２）に連結される、請求項５に記載のタップ。
【請求項７】
前記ばね要素（３４）が、Ｍ字形態を形成し、前記２つの位置決め構成要素（５６、５８）を連結する前記曲がり構成要素（５４）の半径の全巻き角が、保持構成要素（６０、６２）を位置決め構成要素（５６、５８）に連結する曲がり構成要素（６４、６６）の半径の全巻き角より小さいことを特徴とする、請求項６に記載のタップ。
【請求項８】
前記曲がり構成要素（５４）が、異なる半径を有するセクションを備え、主要セクション（６８）が、２つの二次セクション（７０、７２）の半径より大きい半径を有し、前記位置決め構成要素（５６、５８）が、前記二次セクション（７０、７２）を介して前記主要セクション（６８）に連結されることを特徴とする、請求項５に記載のタップ。
【請求項９】
前記ばね要素（３４）が、追加的に、少なくとも３つの細長い保持構成要素（６０、６２、７４）を備え、
前記位置決め構成要素（５６、５８）が、前記ばね要素（３４）の前記端部（７６、７８）を形成し、
各位置決め構成要素（５６、５８）が、曲がり構成要素（６４、６６）を介して保持構成要素（６０、６２）に連結され、
中央の細長い保持構成要素（７８）が、両側において、２つの曲がり構成要素（５４、５５）を用いることによって他の保持構成要素（６０、６２）の１つにそれぞれ連結され、
前記保持構成要素（６０、６２、７４）が、前記主要本体（１２）にぴったりと合わさるか、かつ／または摩擦によってロックする形で結合されることを特徴とする、請求項５に記載のタップ。
【請求項１０】
曲がり構成要素（５４、５５）を介して互いにそれぞれ連結された前記保持構成要素（６０、６２、７４）が、７０°から１１０°の間の角度、好ましくは９０°の角度で互いに向かって配向されることを特徴とする、請求項９に記載のタップ。
【請求項１１】
２つのばね要素（３４、３５）が、設けられることを特徴とする、請求項４に記載のタップ。
【請求項１２】
各ばね要素（３４、３５）が、細長い保持構成要素（６０、６２）と、細長い位置決め構成要素（５６、５８）とを備え、
前記保持構成要素（６０、６２）および前記位置決め構成要素（５６、５８）が、曲がり構成要素（６４、６６）を用いることによって互いにそれぞれ連結され、
前記位置決め構成要素（５６、５８）が、前記連結および連結解除要素（６）内に引張力を生成するために前記壁（４０）と接触し、
前記細長い保持構成要素（６０、６２）が、前記主要本体（１２）にぴったりと合わさるか、または摩擦によってロックする形で結合され、
前記曲がり構成要素（６４、６６）から離間した端部を各々が備えた前記位置決め構成要素（５６、５８）が、ぴったりと合わさる形で前記主要本体（１２）と相互作用し、
ピン構成要素（８０、８２）が、前記保持構成要素（６０、６２）それぞれに隣接し、前記位置決め構成要素（５６、５８）および前記保持構成要素（６０、６２）がかかる水平面に向かって直交して延び、各ピン構成要素（８０、８２）が、前記主要本体（１２）内の凹部または穿孔（８４、８８）それぞれに挿入されることを特徴とする、請求項１１に記載のタップ。
【請求項１３】
前記主要本体（１２）が、前記ばね要素（３４）を受け入れるためのばねガイド（９９）を備え、前記ばね要素（３４）が、曲がりセクションを備え、これを用いることによって前記ばね要素は前記ばねガイド（９９）に結合され、前記曲がり構成要素は、前記主要本体（１２）を円周方向に少なくとも大部分において、好ましくは２７０°を上回って取り囲む曲がり構成要素の一部であり、前記曲がりセクションは、一方では、前記主要本体（１２）または前記固定材（４２）に結合される堅締部（１００）を形成し、他方では、別の曲がり構成要素が前記曲がり構成要素に隣接し、前記他の曲がり構成要素および前記曲がり構成要素は、細長い、好ましくは直線状の構成要素によって互いから離間され、前記他の曲がり構成要素および前記直線状の構成要素は、少なくとも大部分において前記曲がり構成要素によって包囲されることを特徴とする、請求項４に記載のタップ。
【請求項１４】
前記ばね要素（３４）が、堅締部（１００）を形成し、前記堅締部は、細長く、より好ましくは直線状に延び、前記堅締部に指定された凹部内または前記堅締部に指定された前記主要本体（１２）の受け入れ領域内に導入されるように設計され、動力伝送部が前記堅締部（１００）に隣接し、前記動力伝送部を用いることによって、前記固定要素は、前記連結および連結解除要素（６）の方向の押さえ力によって作用されることを特徴とする、請求項４に記載のタップ。
【請求項１５】
複数の固定材（４２、４３）が、設けられ、
前記固定材（４２、４３）は、前記主要本体（１２）と共に設計されたガイド（９０）を介して径方向に各々が移動することができ、前記ばね要素（３４）を用いることによって互いに向かって押さえることができることを特徴とする、請求項４に記載のタップ。
【請求項１６】
前記タップ（１）が、連結および連結解除要素（６）、ばね要素（３４）、および前記主要本体（１２）の部分になるように、非破壊的に取り外されることを特徴とする、請求項１から１５のいずれか一項に記載のタップ。
【請求項１７】
前記ばね要素（３４）が、ワイヤの曲がり部材からなることを特徴とする、請求項１から１６のいずれか一項に記載のタップ。
【請求項１８】
複数の構造的に同一のばね要素（３４）、特に、２つまたは３つの構造的に同一のばね要素（３４）を特徴とする、請求項１から１７のいずれか一項に記載のタップ。
【請求項１９】
少なくとも３つの構造的に同一のばね要素（３４）が設けられ、各ばね要素（３４）は、一方の端部を凹部（８４）内に入れた状態で回転軸周りに回転可能に装着され、前記回転軸の延長方向に別の端部がある状態で保持要素（９２、９４、９６）によってぴったりと合わさる形で保持されることを特徴とする、請求項１８に記載のタップ。
【発明の詳細な説明】
【技術分野】
【０００１】
本発明は、請求項１のプリアンブルによる、少なくとも２つのコネクタ部分間の流体連結を生成し、流体連結を連結解除するためのタップに関する。それにより、タップは、好ましくは、取り外し可能であるか、または解体可能であるように設計される。
【背景技術】
【０００２】
流体連結を生成するためのタップが、従来技術から知られている。欧州特許出願公開第０８６３３４０Ａ２号は、たとえば、ハウジングと、ハウジング内の回転可能なコックプラグとを備えたタップを開示しており、シーリング表面を備えた前記コックプラグ支承部は、その動作位置においてハウジングのシーリング表面に対して支承し、ハウジングとの取り外し可能な連結を解放したときにその動作位置から中間位置（ｂ）にもっていかれ、ここではシール表面は接触が外れ、ハウジングおよびコックプラグは連結されたままである。コックプラグは、それによって、ハウジングにぴったりと合わせて確実にロックする形でラッチ留めされ、このラッチ留めに打ち勝ったとき、中間位置に移動することができる。
【０００３】
特に生物学および医療の分野では、多くの方法で使用され得るタップは、すすぎによる洗浄および消毒のために容易に解体可能であることが確実にされなければならず、この場合、タップの組み立ておよび解体が可能であり、容易でなければならない。さらに、そのようなタップは、好ましくは、低価格で製造できなければならない。
【発明の概要】
【０００４】
したがって、本発明の目的は、容易に組み立て、解体することができ、それによって安価である、好ましくは解体可能なタップを作りだすことである。
【０００５】
先に言及したタスクは、請求項１によるタップを用いることによって本発明にしたがって達成される。請求項１によるタップは、好ましくは、流体連結を生成し、流体連結を連結解除するための少なくとも１つの連結および連結解除要素と、連結および連結解除要素を回転させるための手動作動要素と、主要本体とを備える。それにより、連結および連結解除要素は、少なくとも断面において円錐状であり、流体連結を生成するための少なくとも１つの通過開口部を備え、手動作動要素ならびに連結および連結解除要素は、機械的に結合される。好ましくは、手動作動要素ならびに連結および連結解除要素は、単一装置の要素であり、それによって常に互いに連結されている。
【０００６】
主要本体は、少なくとも１つのコネクタ部、好ましくは複数のまたはすべてのコネクタ部と、連結および連結解除要素を受け入れるための内部空間とを備え、内部空間は、連結および連結解除要素と接触させるための接触表面を備え、接触表面は、連結および連結解除要素の円錐状表面構成要素に関して少なくとも断面においてネガティブ形状のものである。本発明によれば、少なくとも１つのばね要素が、主要本体に関して連結および連結解除要素の位置をぴったりと合わせて固定するために、好ましくは表面圧力を生成するために、かつ／または接触表面と連結および連結解除要素の円錐状表面構成要素との間の接触面の固定のために設けられる。それにより、ばね要素は、好ましくは、主要本体内または主要本体上に配置される。さらに、解体または組み立てのための連結および連結解除要素は、その軸方向延長方向にばね要素に関連して移動可能とすることができる。
【０００７】
この解決策は、簡単であり、したがって安価な配置が提供されるため、好適であり、この配置では、ばね要素は、主要本体に関する連結および連結解除要素の位置決めならびに緊締を生じさせる。このことから、結果として、良好な組み立ておよび解体能力が結果として得られる。
【０００８】
さらなる実施形態は、従属請求項および以下の説明部分の目的である。
【０００９】
本発明の好ましい実施形態によれば、連結および連結解除要素は、その軸方向延長方向に、最小直径を有する円錐状セクションに対して支承する延長部を備え、延長部は、壁を備え、壁は円周方向であることができ、好ましくは、軸方向延長方向に向かって傾けられ、少なくとも１つのばね要素またはばね要素によって作用される少なくとも１つの固定材が、連結および連結解除要素内に引張力を生成するために、好ましくは接触表面と連結および連結解除要素の円錐状表面構成要素との間に表面圧力を生成するために壁と接触する。この実施形態は、特に、傾けられた壁とばね要素または固定材との相互作用により、連結および連結解除要素と主要本体との間にシーリング効果が生成されるため、好適である。シーリング効果は、ここではさまざまなレベルでばね力によって影響され得る。延長方向に傾けられた、好ましくは円周方向の壁は、好ましくは、円錐表面および傾けられた壁が互いに向かって１８０°未満、特に１７８°未満、または１７５°未満、または１７０°未満、または１６５°未満の角度で配向されるように傾けられる。しかし、これに加えて、または代替策として、Ｏリングなどのシーリング手段が、連結および連結解除要素を主要本体に対してシールするために設けられ得る。好ましくは、複数のシーリング手段、好ましくは正確にはこれらの２つが、主要本体に関連して連結および連結解除要素をシールするために設けられる。
【００１０】
本発明の別の好ましい実施形態によれば、ばね要素は、少なくとも２つの細長い構成要素を備え、２つの細長い構成要素は、曲がり構成要素を用いることによって互いに連結され、２つの細長い構成要素は、２つの細長い、好ましくは直線状の位置決め構成要素として設計され、好ましくは接触表面と連結および連結解除要素の円錐状表面構成要素との間に表面圧力を生成するために連結および連結解除要素内に引張力を生成するために、好ましくは傾けられた円周方向壁と接触する。この実施形態は、ばね要素を簡単に製造することができ、組み立てまたは解体のために位置決め構成要素を互いから押し離すことができるため、好適である。追加的に、ばねまたはばね要素はまた、解体するときに最初にばね力に打ち勝つ必要があることにより、連結および連結解除要素の位置を堅締する。
【００１１】
本発明の別の好ましい実施形態によれば、ばね要素は、追加的に、少なくとも２つの細長い、好ましくは直線状の保持構成要素を備え、細長い保持構成要素は、ばね要素の端部を形成し、主要本体にぴったりと合わさるか、または摩擦によってロックする形で結合され、それによって各位置決め構成要素は、曲がり構成要素を介して保持構成要素に連結される。ばね要素は、それによって好ましくはＭ字形態を形成し、２つの位置決め構成要素を連結する曲がり構成要素の半径の全巻き角は、保持構成要素を位置決め構成要素に連結する曲がり構成要素の半径の全巻き角より小さい。２つの位置決め構成要素を連結する曲がり構成要素の半径は、好ましくは、保持構成要素を位置決め構成要素に連結する曲がり構成要素の半径より１ｍｍ大きく、または少なくとも２ｍｍ大きく、または少なくとも３ｍｍ大きい。この実施形態は、位置決め構成要素を連結および連結解除要素にしっかりと接触させることができ、ばね力生成および／または主要本体へのばね要素の固定は、保持構成要素および／または他の曲がり構成要素によって引き起こされるため、好適である。この実施形態は、保持構成要素が主要本体上を支承するための障害物が無い（clear)領域を形成し、連結および連結解除要素を回転させるときに連結および連結解除要素を介してばね上に伝達された力が、主要本体に確実に伝達されるため、さらに好適である。
【００１２】
本発明の別の好ましい実施形態によれば、曲がり構成要素は、異なる半径を備えたセクションを備え、主要セクションは、２つの二次セクションの半径より大きい半径を備え、位置決め構成要素は、二次セクションを介して主要セクションに連結される。この実施形態は、ばね要素を安価に製造することができ、連結および連結解除要素と主要本体との間に必要とされる押さえ力を発生させるために必要とされるばね力は、かなり曲げられたセクション（二次セクションおよび主要セクション）によって確実に提供されるため、好適である。好ましくは、本明細書において言及するすべてのばね要素の場合、これは、金属、プラスチック、または複合材料製のばね要素と常に関連している。
【００１３】
本発明の別の実施形態によれば、ばね要素は、追加的に、少なくとも３つの細長い保持構成要素を備え、位置決め要素は、ばね要素の端部を形成し、各位置決め構成要素は、曲がり要素を介して保持構成要素に連結され、中央の細長い保持構成要素は、両側において、２つの曲がり構成要素によって他の保持構成要素それぞれの１つに連結され、保持要素は、主要本体にぴったりと合わさるか、または摩擦によってロックする形で結合される。好ましくは、曲がり構成要素を介して互いにそれぞれ連結された保持構成要素は、互いに向かって、７０°から１１０°の間の角度に、好ましくは９０°の角度に配向される。この実施形態は、３つの細長い、好ましくは直線状の保持構成要素により、力の伝達のためにさらにより多くの接触の可能性が利用可能になるため、好適である。それにより、円錐状接触領域は、ユーザがハンドルを引っ張るハンドル回転中であっても連結および連結解除要素と主要本体との間をシールする。
【００１４】
本発明の別の好ましい実施形態によれば、２つのばね要素、好ましくは少なくとも２つまたは正確に２つ、または最大２つのばね要素が、設けられる。加えて、各ばね要素は、細長い、より好ましくは直線状の保持構成要素と、細長い、より好ましくは直線状の位置決め構成要素とを備え、保持構成要素および位置決め構成要素は、曲がり構成要素を用いることによって各々が互いに連結されることが考えられる。位置決め構成要素は、それにより、好ましくは、少なくとも断面において傾けられることが好ましく、好ましくは全体的にまたは断面において円周方向である壁と断面において接触して、連結および連結解除要素内に引張力を発生させて、好ましくは接触表面と連結および連結解除要素の円錐状表面構成要素との間に表面圧力を生成する。それにより、細長い保持構成要素は、主要本体にぴったりと合わさるか、または摩擦によってロックする形で結合され、曲がり構成要素から離間した端部を各々が備えた位置決め構成要素は、ぴったりと合わさる形で主要本体と相互作用し、ピン構成要素は、保持構成要素それぞれと隣接し、位置決め構成要素および保持構成要素がかかる水平面に向かって直交して延び、各ピン構成要素は、主要本体内の穿孔または凹部それぞれに挿入される。この実施形態は、ばね要素と、保持要素を保持するように設計された保持要素とを、他の構造形態に関連して非常に細く、小さくなるように構築することができ、それによって材料および重量の削減が結果として得られるため、好適である。
【００１５】
本発明の別の好ましい実施形態によれば、主要本体は、ばね要素を受け入れるためのばねガイドを備え、ばね要素は、曲がりセクションを備え、これを用いることによってばね要素はばねガイドに結合され、曲がり構成要素は、主要本体を円周方向に少なくとも大部分において、好ましくは２７０°を上回って取り囲む曲がり構成要素の一部であり、曲がりセクションは、一方では、主要本体または固定材に結合された堅締部を形成し、他方では、別の曲がり構成要素が、この曲がり構成要素に隣接し、他の曲がり構成要素および曲がり構成要素は、細長い、好ましくは直線状の構成要素によって互いから離間され、他の曲がり構成要素および直線状の構成要素は、少なくとも大部分において曲がり構成要素によって包囲される。この実施形態は、ばね要素を用いることによって連結および連結解除要素上に作用する押さえ力の非常に正確な生成を確立することができるため、好適である。さらに、ばね要素は、主要本体上に非常に容易に配置され得る。
【００１６】
本発明の別の好ましい実施形態によれば、ばね要素は堅締部を形成し、この堅締部は、細長く、より好ましくは直線状に延び、堅締部に指定された凹部、または堅締部に指定された主要本体の受け入れ領域内に導入されるように設計され、動力伝送部が堅締部に隣接し、動力伝送部を用いることによって、固定要素は、連結および連結解除要素の方向の押さえ力によって作用される。この実施形態は、固定要素を追加し、非常に正確に設計することができ、より好ましくは、これは、好ましくは傾けられた壁に適合された幾何学的形状を有し、かつ／または定められた材料から作製することができ、またはコーティングすることができるため、好適である。
【００１７】
本発明の別の好ましい実施形態によれば、複数の固定材が提供され、固定材は、主要本体と共に設計されたガイドを介して径方向に各々が移動することができ、ばね要素を用いることによって互いに向かって押さえることができる。この実施形態は、固定要素を非常に正確に、たとえば２つの対向する側から導入できるため、好適である。さらに、固定要素を、好ましくは、特に、傾けられた壁に適合された幾何学的形状を備えて形成し、かつ／または定められた材料から作製することができ、またはコーティングすることができる。
【００１８】
本発明の別の好ましい実施形態によれば、タップを非破壊的に少なくとも連結および連結解除要素、ばね要素、および主要本体の部分に解体することができる。この解決策は、磨耗した部分を容易に取り換えることができかつ／または個々またはすべての構成要素の洗浄および／または殺菌を開始することができるため、好適である。
【００１９】
連結および連結解除要素は、詳細には、コックプラグまたはストップコックとして設計され得る。
【００２０】
別の好ましい実施形態によれば、ばね要素は、ワイヤの曲がり部材からなる。
【００２１】
本発明の別の好ましい実施形態によれば、複数の構造的に同一のばね要素であり、より好ましくは２つまたは３つの構造的に同一のばね要素である。
【００２２】
本発明の別の好ましい実施形態によれば、少なくとも３つの構造的に同一のばね要素が設けられ、各ばね要素は、一方の端部を凹部内に入れ回転軸周りに回転可能な状態で装着され、別の端部を回転軸の延長方向に保持要素によってぴったりと合わせた状態で保持される。
【００２３】
単語「本質的に」の使用は、本発明の範囲内でその単語が使用される場合のすべてにおいて、好ましくは、この単語を使用しなかった場合である決定値から、１％〜３０％、より好ましくは１％〜２０％、より好ましくは１％〜１０％、より好ましくは１％〜５％、特に１％〜２％の範囲内の偏差を定義する。以下で説明する図の個々またはすべての図は、好ましくは、構造図として考えられるものであり、これは、図から結果として得られる寸法、割合、機能関係および／または配置が、本発明による装置または本発明による製品のものに好ましくは正確にまたは好ましくは本質的に対応することを意味する。本発明の他の利点、目的、および特徴は、添付の図の以下の説明に基づいて説明され、これら図では、本発明による装置は例として示される。図では、機能に関して少なくとも本質的に一致する、本発明による装置および方法の要素は、同じ参照番号を使用して特定することができ、これらの構成要素および要素は、すべての図において番号付けまたは説明の必要はない。本発明は、次に、添付の図を単に例として使用して説明される。
【図面の簡単な説明】
【００２４】
【図１】本発明による、２つのばね要素と、これらがどのようにしてタップ内で使用され得るかを例として示す図である。
【図２】本発明の第１の実施形態の複数の斜視図である。
【図３】本発明の第２の実施形態による特徴を示す図である。
【図４】第２の実施形態によって使用され得るばね要素の例を示す図である。
【図５】本発明の第３の実施形態による特徴を示す図である。
【図６】図５のばね要素の平面図である。
【図７】本発明の第４の実施形態による特徴を示す図である。
【図８】第４の実施形態（変形形態ＩＩＩ）または代替の実施形態（変形形態ＩおよびＩＩＩ）によって使用され得るばね要素の例を示す図である。
【図９】図４Ｉから知られているばね要素が使用される実施形態の上面図および斜視図である。
【図１０】２つの好ましくは構造的に同一の、特に好ましくは非対称的なばね要素を使用することができる、別の例示的な実施形態の上面図である。
【図１１】３つのばね要素が使用される実施形態の２つの例示的な図である。
【図１２】ばね要素が連結および連結解除要素上を支承するための曲がりセクションを備える、図１２に示す実施形態の改変された変形形態の図である。
【発明を実施するための形態】
【００２５】
図１では、ばね要素３４の第１の例が、これが好ましくは本発明の範囲内で使用されるものとしてＩとして示される。ばね要素３４は、したがって、細長く、より好ましくは直線状に延びることが好ましい２つの構成要素５０、５２を備え、これらの構成要素は、本発明によれば、連結および連結解除要素６内に引張力を作りだすために、連結および連結解除要素６（たとえば図２ＩＩを参照）上を支承するように意図される。したがって、好ましくは直線状に延びる構成要素はまた、第１の位置決め構成要素５６および第２の位置決め要素５８とも称され得る。両方の位置決め要素５６、５８は、曲がり構成要素５４を介して互いに連結される。曲がり構成要素５４およびばね要素３４の端部は、好ましくは、主要本体１２にぴったりと合わさる形で結合させることができ（たとえば図２ＩＶを参照）、力は、そのぴったりと合わさった結合によって連結および連結解除要素６の延長方向Ａに主要本体１２上に伝達され得る。
【００２６】
ばね要素３４のための別の例が、図１ＩＩによって示される。図１Ｉに関連して、曲がり構成要素５４は、第１の位置決め構成要素および第２の位置決め構成要素５６、５８を少なくとも１つの方向にその大部分において取り囲む。曲がり構成要素５４は、曲がり主要セクション６８と、２つの曲がり二次セクション７０および７２とによって形成される。両方の二次セクション７０、７２は、好ましくは、同じ半径を有し、この場合主要セクション６８の半径は、好ましくは二次セクション７０、７２の半径より２倍、または２．５倍または３倍大きい。位置決めセクション５６、５８は、好ましくは、３ｍｍから１０ｍｍの間の長さを含み、より好ましくは、これらは、３ｍｍより長く、または４ｍｍより長く、または５ｍｍより長く、または正確には５ｍｍの長さである。さらに、位置決め手段５６、５８は、好ましくは、２ｍｍから１０ｍｍの間で互いから離間され、特に、互いに平行に離間され、この場合位置決め手段５６、５８は、好ましくは、少なくとも２ｍｍ、または少なくとも３ｍｍ、または少なくとも４ｍｍ、または正確には４ｍｍだけ互いから離間される。
【００２７】
Ｉ〜Ｖの図を備えた図２は、本発明の例示的な実施形態の種々の図および構成要素を示す。
【００２８】
図２Ｉでは、解体可能なタップ１が、組み立てられるか、または装着された状態で示される。タップ１が、少なくとも１つの第１のコネクタ部２および第２のコネクタ部４を備える主要本体１２を備えることが明らかである。ここでは、コネクタ部２、４は、同一または異なるように設計され得る。手動作動要素１０が、主要本体１２内に挿入される。手動作動要素１０は、連結および連結解除要素６を回転させるように働き、この場合、手動作動要素１０、ならびに連結および連結解除要素６は、機械的に結合され、より好ましくは単体から作製される。好ましくは、連結および連結解除要素６は、それによって、手動作動要素１０の一体式構成要素として考えられる。手動作動要素１０はまた、好ましくは、ハンドル部２６を形成し、このハンドル部は、好ましくは、レバータイプの形で連結および連結解除要素６の長手延長方向に向かって直交するように延びる。さらに、参照番号２４は、延長部を特定し、この延長部は、好ましくは、主要本体１２から出るように延び、それによって、好ましくは、少なくとも断面において円周方向に主要本体１２によって包囲されない。
【００２９】
図２ＩＩは、解体された状態にある本発明によるタップ１を示す。連結および連結解除要素６は、通過穴８を備えることが明らかである。図示する配向では、図２Ｉの通過穴８は、それによって第１のコネクタ部２および第２のコネクタ部４を連結し、これによって流体、特に流体またはガスは、１つのコネクタ部から他のコネクタ部に案内され得る。延長部２４は、連結および連結解除要素が最小部２２を有する円錐状セクションを形成する連結および連結解除要素６の側、つまり、ハンドル部２６とは反対側に配置される。参照番号１１は、手動作動要素１０のベース部を特定し、この場合ハンドル２６は、ベース部１１を介して、より具体的には単体として連結および連結解除要素６に機械的に連結される。さらに、参照番号１４は、連結および連結解除要素６を受け入れるように設計された、主要本体１２によって形成された内部空間を特定する。
【００３０】
図２ＩＩＩは、組み立てられた状態にある本発明１によるタップ１の下面の上面図を示す。それにより、ばね要素３４はまた、少なくとも２つの細長い構成要素５０、５２を備えることが明らかである。２つの細長い構成要素５０、５２は、好ましくは、２つの細長い位置決め構成要素５６、５８として設計され、特に好ましくは、壁４０（図２ＩＶを参照）と接触して、連結および連結解除要素６内に引張力を生成して、好ましくは接触表面１６と、連結および連結解除要素６の円錐状表面構成要素２８との間に表面圧力を生成する。さらに、ばね要素３４は、追加的に、２つの細長い保持構成要素６０、６２を備え、この場合細長い保持構成要素６０、６２は、ばね要素３４の端部を形成し、主要本体１２にぴったりと合わさるか、または摩擦によってロックする形で結合される。
【００３１】
ここでは、好ましくは直線状に延びる各位置決め構成要素５６、５８は、好ましくは直線状に延びる保持構成要素６０、６２に曲がり構成要素６４、６６を介して連結される。
【００３２】
図２ＩＶは、組み立てられた状態にある本発明によるタップ１を貫通する断面図を示す。それにより、ばね要素３４は、好ましくは連結および連結解除要素６の延長方向Ａに向かって傾斜を有し特に好ましいことに円周方向である壁４０に対して支承し、この壁を介して、連結および連結解除要素６に力を導入する。導入された力は、連結および連結解除要素６内に引張力を生成する。引張力により、連結および連結解除要素６の円錐状表面構成要素２８は、これに関して好ましくはネガティブ形状を備えた主要本体１２の接触表面１６上に押さえられる。連結および連結解除要素６の円錐表面の、連結および連結解除要素６の長手延長方向Ａに向かう傾きは、１°から１０°の間にあり、好ましくは、本明細書に説明する好ましい実施形態では２°から８°の間にある。主要本体１２の上側端部は、参照番号３２で特定され、主要本体１２の下側端部は、参照番号３０で特定される。それにより、連結および連結解除要素６は、上側端部３２の領域内で主要本体１２内に挿入され、次いで好ましくは、ここでも断面において、下側端部３０の領域内で主要本体１２から退出する。主要本体１２の外側表面は、参照番号１９で特定される。主要本体１２は、好ましくは、金属、特に鋼もしくはプラスチック材料からなり、または金属もしくはプラスチック材料を含む。
【００３３】
図２Ｖは、代替的に使用することができる代替の手動作動要素１０の一例を示す。ここでは、開口部８は、直線状の通過開口部として設計されてはならず、連結および連結解除要素６の円錐状円周方向壁から開始して長手延長方向Ａに延びることができ、したがって、手動作動要素１０上に配置された、または形成されたコネクタ５を介して流体を供給または排出することができる。
【００３４】
図３Ｉは、組み立てられた状態にある本発明によるタップ１の下面の概略図を示す。この図によれば、互いに向かって傾いて配向された２つの位置決め構成要素５６、５８を備えるばね要素３４が、使用される。
【００３５】
ばね要素３４は、追加的に、少なくとも３つの細長い、より好ましくは直線状の保持構成要素６０、６２、７４（図３ＩＩを参照）を備える。位置決め構成要素５６、５８は、ばね要素３４の端部７６、７８を形成し、好ましくは直線状に延びる。これにより、各位置決め構成要素５６、５８は、曲がり構成要素６４、６６を介して保持構成要素６０、６２に連結され、この場合、中央の細長い保持構成要素７４が、両側において、２つの曲がり構成要素５４、５５を用いることによって他の保持構成要素６０、６２の一方にそれぞれ連結される。保持構成要素６０、６２、７４は、主要本体１２にぴったりと合わさるか、または摩擦によってロックする形で結合される。主要本体１２は、追加的に、保持要素９２、９４、９６を備える。保持要素９２、９４、９６は、それによって、少なくとも１つの接触表面を提供するための少なくとも１つの凹部を各々が形成し、この凹部上を、曲がりセクション５４、５５、６４、６６および／または保持構成要素６０、６２、７４が、連結および連結解除要素６の延長方向Ａに支承する。ばね要素３４が支承する主要接触表面は、参照番号９８で特定される。
【００３６】
図３ＩＩは、図３Ｉに示す配置の上面図を示す。
【００３７】
図３ＩＩＩは、図３Ｉからの図の断面図である。保持要素９２、９４、９６上の好ましい接触領域を、この図から得ることができる。さらに、この図は、接触領域が、好ましくは、曲がり構成要素６４および６６に関して少なくとも断面においてネガティブ形状のものであることを示す。
【００３８】
図４は、本発明の範囲内で使用され得るばね要素３４の２つの他の例を示す。好ましくは、曲がり構成要素５４、５５を介して互いにそれぞれ連結された保持構成要素６０、６２、７４は、７０°から１１０°の間の角度で、好ましくは８０°から１００°の角度、または８０°から９０°の間の角度、または９０°から１００°の間の角度、または９０°の角度で互いに向かって配向される。そのようなばねの幾何学的形状は、ばね要素３４を容易に位置決めすることができ、必要とされる堅締特性に加えて、シーリング効果を生成するのに必要とされる力を提供することができるため、好適である。ばね要素３４は、それによって、Ｍ字形態を形成し、この場合２つの位置決め構成要素５６、５８を連結する曲がり構成要素５４の半径は、保持構成要素６０、６２を位置決め構成要素５６、５８に連結する曲がり構成要素６４、６６の半径より大きい。
【００３９】
図４Ｉによれば、曲がり構成要素６４、６６を介して位置決め構成要素５６、５８に連結された保持構成要素６０、６２は、互いに平行に配向される。直接的に隣接する保持構成要素６０、６２それぞれに関連して、位置決め構成要素５６、５８は、好ましくは、１°から１５°の間、好ましくは３°から９°の間の角度、より好ましくは４°、５°、６°、７°または８°の角度で配向される。
【００４０】
図４ＩＩによれば、曲がり構成要素６４、６６を介して位置決め構成要素５６、５８に連結された保持構成要素６０、６２は、直接的に隣接する位置決め構成要素５６、５８に平行に配向される。第３のまたは中央の保持構成要素７４それぞれに関連して、位置決め構成要素５６、５８と、曲がり構成要素６４、６６を介して位置決め構成要素上に配置された保持構成要素６０、６２とからなる全体は、好ましくは、１°から１５°の間の角度、好ましくは３°から９°の間の角度、より好ましくは４°、５°、６°、７°、または８°の角度で配向される。
【００４１】
図５は、本発明の別の例示的な実施形態を示す。複数のばね要素３４、３５、特に正確には２つが、ここで示される。それにより、各ばね要素３４、３５は、細長い、より好ましくは直線状の保持構成要素６０、６２と、細長い、より好ましくは直線状の位置決め構成要素５６、５８とを備える。保持構成要素６０、６２および位置決め構成要素５６、５８は、それにより、曲がり構成要素６４、６６を用いることによって各々が互いに連結され、位置決め構成要素５６、５８は、好ましくは傾斜を有し特に好ましくは円周方向である壁４０と接触して、連結および連結解除要素６内に引張力を生成して、好ましくは接触表面１６と連結および連結解除要素６の円錐状表面構成要素２８との間に表面圧力を生成する。保持構成要素６０、６２は、好ましくは、主要本体１２にぴったりと合わさるか、または摩擦によってロックする形で、図３の実施形態と同様に形成されることがより好ましい保持要素９２、９４、９６を介して結合される。曲がり構成要素６４、６６から離間された端部を各々が備えた位置決め構成要素５６、５８は、ぴったりと合わさる形で主要本体１２と相互作用し、ピン構成要素８０、８２は、保持構成要素６０、６２それぞれと隣接し、位置決め構成要素５６、５８および保持構成要素６０、６２がかかる水平面に向かって直交して延び、この場合、各ピン構成要素８０、８２は、主要本体１２の凹部または穿孔８４、８８それぞれに挿入される。凹部または穿孔８４、８８には、好ましくは、ピン構成要素８０、８２のより容易な挿入のための面取り部が設けられる。
【００４２】
図６は、図５に使用されるばね要素３４、３５を示す。それにより、図６ＩおよびIIIは、ばね要素３５を示し、図６IIは、ばね要素３４を示す。２つのばね要素３４、３５の場合、位置決め構成要素５６、５８は、好ましくは、それぞれの保持構成要素６０、６２に平行に延びる。
【００４３】
図７は、本発明の別の好ましい実施形態を示す。
【００４４】
図７Ｉは、それにより、解体可能なタップ１を貫通する断面図を示す。図７ＩＩおよび７ＩＩＩは、図７Ｉに断面図で示すタップ１の斜視図を示す。
【００４５】
それにより、延長部２４は、連結および連結解除要素６の延長方向に向かって傾けて配向された円周方向表面４０も形成する。さらに、少なくとも１つの固定材４２が設けられ、この固定材は、主要本体１２内に形成されたガイド９０内で変位させることができる。固定材４２は、ばね要素３４によって引き起こされたばね力によって作用され（図８ＩＩＩを参照）、表面４０上を押さえるように働く圧力点４４を備える。図示する場合では、主要本体１２は、複数の固定要素４２、４３、より好ましくは正確には２つを備える。
【００４６】
図８は、図７に示す基本的概念をいかにして代替的に実施することができるかの３つの例を示し、図８ＩＩは基本的概念を表す。
【００４７】
図８Ｉによれば、主要本体１２は、ばね要素３４を受け入れるためのばねガイド９９を備え、ばね要素３４は、曲がりセクションを備え、これによってばね要素は、ばねガイド９９に結合される。曲がり構成要素は、好ましくは、主要本体１２を円周方向に少なくともその大部分において、好ましくは２７０°を上回って取り囲む曲がり構成要素の一部であり、この場合曲がりセクションは、一方では、主要本体１２または固定材４２に結合される堅締部１００を形成し、他方では、別の曲がり構成要素がこの曲がり構成要素に隣接する。他の曲がり構成要素および曲がり構成要素は、好ましくは、細長い、好ましくは直線状の構成要素によって互いから離間され、他の曲がり構成要素および直線状の構成要素は、少なくともその大部分において曲がり構成要素によって包囲される。
【００４８】
図８ＩＩからのばね要素３４は、細長く、より好ましくは直線状に延びる堅締部１００を形成し、この堅締部は、これに指定された凹部内、またはこれに指定された主要本体１２の受け入れ領域内に導入されるためのものである。動力伝送部が堅締部１００に隣接し、この場合、動力伝送部を用いることにより、固定要素は、押さえ力によって連結および連結解除要素６の方向に作用される。
【００４９】
図９Ｉおよび９ＩＩは、図３Ｉ〜３ＩＩＩの図によって示す実施形態の変形形態を表す実施形態を表す。ばね要素３４もまた、好ましくは、図４Ｉまたは図４ＩＩによって設計される。
【００５０】
図３に示す実施形態に関連する主な相違は、第３の保持要素９６の実施形態である。ばね要素の中央保持要素７４（図３ＩＩまたは図４を参照）と相互作用するこの保持要素９６は、好ましくは、ばね要素３４の第１の端部７６および第２の端部７８と少なくとも１ｍｍだけ、好ましくは少なくとも２ｍｍだけ、特に好ましくは、少なくとも２．５ｍｍだけ、最も好ましくは３ｍｍだけ、または少なくとも３．５ｍｍだけ、または少なくとも４ｍｍだけ重なるように設計される。したがって、第３の保持要素９６は、被覆突出部または第１の保持タブ１０４および第２の保持タブ１０６を形成し、これらのタブは、ばね要素３４の端部７６、７８に特にぴったりと合わさる形で相互作用する。
【００５１】
加えて、または代替策として、第３の保持要素９６は、１つまたは複数の凹部１０２、より好ましくは２つもしくは少なくとも２つ、もしくは正確には２つ、または３つもしくは少なくとも３つもしくは正確には３つの凹部を備えることができる。少なくとも１つの凹部１０２は、好ましくは、主要本体１２の外側表面から開始して、主要本体１２の内部空間１４の方向に延びる。凹部１０２は、好ましくは、ばね要素３４が凹部１０２を介してアクセス可能であるように設計される。
【００５２】
特に好ましくは、第３の保持要素９６は、それによって２つの保持タブ１０２、１０４と２つの凹部１０２とを備える。
【００５３】
図１０は、図５に示す実施形態の変形形態を示す。この実施形態によれば、２つの構造的に同一のばね要素３４が使用され得る。好ましくは、各ばね要素３４、３５は、穿孔または凹部８４、８８および２つの保持要素９２、９４および９６、９７それぞれを用いることによって主要本体１２上に保持される。第１の穿孔３４、第１の保持要素９２、および第２の保持要素９４の互いに対する相対位置は、それによって好ましくは、第２の穿孔８８、第３の保持要素９６、および第４の保持要素９７の互いに対する相対位置に対応する。好ましくは、第１のばね要素３４は、第２のばね要素３５に関連して１８０°回転した位置に配置される。
【００５４】
図１１は、本発明の別の好ましい実施形態を示し、この場合、３つのばね要素３４、３５、３６が設けられる。個々のばね要素３４、３５、３６は、好ましくは、構造上同一である。さらに、ばね要素３４、３５、３６は、好ましくは、第１の端部７６が凹部または穿孔８４内にある状態で配置され、第２の端部７８を用いて保持部９２、９４、９６に特にぴったりと合わさる形でそれぞれ相互作用する。好ましくは、２つのばね要素３４、３５、３６は、各保持要素９２、９４、９６によってぴったりと合わさる形で各々が保持される。さらに、第１の保持要素９２および第３の保持要素９６に関連する第１の凹部または穿孔８４の相対位置は、第２の保持要素９４および第１の保持要素９２に関連する第２の凹部または穿孔８８の相対位置および／または第３の保持要素９６および第２の保持要素９４に関連する第３の凹部または穿孔８９の相対位置に対応する。
【００５５】
図１１ＩＩは、保持要素９２、９４、９６無しの図１１Ｉに示す配置を示す。図１２Ｉおよび１２ＩＩに示す実施形態は、本質的に、図１１Ｉおよび１１ＩＩに示す実施形態に対応し、この場合、ばね要素３４、３５、３６は、連結および連結解除要素６と線接触するように設計される。ばね要素３４、３５、３６は、したがって、これらの第２の端部７８と曲がり構成要素５４との間に曲がり位置決め構成要素５９を備える。この実施形態は、ばね要素３４、３５、３６と連結および連結解除要素６との間により大きい接触領域が作りだされ、それによってより大きい力をばね要素３４、３５、３６と連結および連結解除要素６との間に伝達することができるため、好適である。
【００５６】
それにより、本発明は、流体連結の少なくとも２つのコネクタ部２、４間の流体連結を生成し、連結解除するためのタップ１に関する。本発明によるタップは、機械的に結合された、連結および連結解除要素６ならびに連結および連結解除要素６を回転させるための手動作動要素１０と、主要本体１２であって、コネクタ部２、４と、連結および連結解除要素６を受け入れるための内部空間１４とを有し、内部空間１４は、連結および連結解除要素６と接触させるための接触表面１６を有し、接触表面１６は、連結および連結解除要素６の円錐状表面構成要素２８に関して少なくとも断面においてネガティブ形状のものである、主要本体とを備え、少なくとも１つのばね要素３４が、主要本体に関して連結および連結解除要素６の位置をぴったりと合わせて固定するために、および接触表面１６と連結および連結解除要素６の円錐状表面構成要素との間に表面圧力を生成するために設けられ、ばね要素３４は、主要本体１２内または主要本体上に配置され、連結および連結解除要素６は、その軸方向にばね要素３４に関して解体または組み立て目的で移動させることができる。
【符号の説明】
【００５７】
１  解体可能なタップ
２  第１のコネクタ部
４  第２のコネクタ部
５  手動作動要素上に形成されたコネクタ部
６  連結および連結解除要素
８  通過開口部
１０  手動作動要素
１１  ベース部
１２  主要本体
１４  内部空間
１６  接触表面
１９  主要本体の外側表面
２２  最小直径を有する円錐状セクション
２４  延長部
２６  ハンドル部
２８  円錐状表面構成要素
３０  主要本体の下側端部
３２  主要本体の上側端部
３４  ばね要素
３５  別のばね要素
３６  第３のばね要素
４０  円周方向壁
４２  固定材
４３  別の固定材
４４  圧力点
５０  第１の細長い構成要素
５２  第２の細長い構成要素
５４  曲がり構成要素
５５  別の曲がり構成要素
５６  第１の位置決め構成要素
５８  第２の位置決め構成要素
５９  曲がり位置決め構成要素
６０  第１の保持構成要素
６２  第２の保持構成要素
６４  保持構成要素と第１の位置決め構成要素との間の曲がり構成要素
６６  第２の保持構成要素と第２の位置決め構成要素との間の曲がり構成要素
６８  主要セクション
７０  第１の二次セクション
７２  第２の二次セクション
７４  第３の保持構成要素／中央の細長い保持構成要素
７６  ばね要素の第１の端部
７８  ばね要素の第２の端部
８０  第１のピン構成要素
８２  第２のピン構成要素
８４  第１の穿孔
８８  第２の穿孔
８９  第３の穿孔
９０  ガイド
９２  第１の保持要素
９４  第２の保持要素
９６  第３の保持要素
９７  第４の保持要素
９８  主要ばね接触表面
９９  ばねガイド
１００  堅締部
１０２  凹部
１０４  第１の保持タブ
１０６  第２の保持タブ
Ａ  軸方向延長方向および軸方向
【図１】
2019529824.tif 000003
【図２】
2019529824.tif 000004
【図３】
2019529824.tif 000005
【図４】
2019529824.tif 000006
【図５】
2019529824.tif 000007
【図６】
2019529824.tif 000008
【図７】
2019529824.tif 000009
【図８】
2019529824.tif 000010
【図９】
2019529824.tif 000011
【図１０】
2019529824.tif 000012
【図１１】
2019529824.tif 000013
【図１２】
2019529824.tif 000014
【国際調査報告】
2019529824.tif 000015
2019529824.tif 000016
2019529824.tif 000017
2019529824.tif 000018
2019529824.tif 000019
2019529824.tif 000020